(57)【要約】      （修正有）【課題】車輪の取り外しが容易であり、鋏の開閉によっても安定した走行を可能にした車輪付き草刈鋏を提供する。【解決手段】立ち姿勢による草刈鋏であって、刃支持軸６で開閉自在に軸支する一対の刃体４、５の基端部を、所定の長さを有する一対の柄１の先端部に連結し、保持部材３１により保持された車輪３２を有する。保持部材は、車輪を回転可能に保持する車輪保持部と、刃支持軸６に取り付ける刃体取付部を有する。刃体取付部には、前後方向を長手方向とする差込溝が形成され、差込溝に刃支持軸を取り付けている。刃支持軸は刃体の開閉に応じて前後にスムーズに摺動する。また、刃支持軸を差込溝から抜き取ることで保持部材を容易に草刈鎌から着脱をすることができる。【選択図】図１
0003218655.tif 000002
【実用新案登録請求の範囲】
【請求項１】
刃支持軸で開閉自在に軸支する一対の刃体の基端部を、所定の長さを有する一対の柄の先端に連結し、保持部材により保持された車輪を有する立刈り用の草刈鋏であって、
前記保持部材は、車輪を回転可能に保持する車輪保持部と、刃支持軸に取り付ける刃体取付部を有するものであって、
前記刃体取付部は、前後方向を長手方向とする差込溝が形成され、該差込溝に前記刃支持軸を取り付けたことを特徴とする草刈鋏。
【請求項２】
保持部材の刃体取付部は、先端が開放された中央の差込溝と、該差込溝の両側で延長された取付本体とからなり、
差込溝は、一対の刃体を閉じた状態における刃支持軸の位置から一対の刃体を開いた状態における刃支持軸の位置まで形成したことを特徴とする請求項1に記載の草刈鋏。
【請求項３】
刃支持軸は、刃体とともに、刃体の裏面側ですべり片を軸支するものであって、
前記すべり片は、下面を半球状とした接地部と、該接地部の上面である水平面の幅方向中央付近で突出して前記刃体に接する突出部と、からなり、
前記突出部により前記刃体と前記水平面の間に隙間を形成し、
前記保持部材の取付本体を、前記隙間に挿入して着脱自在に取り付けたことを特徴とする請求項２に記載の草刈鋏。
【請求項４】
保持部材は、前方の刃体取付部と後方の車輪保持部との間に左右方向に開閉ガイド溝を有し、
刃体の基端部を柄の先端に連結する連結支持軸の下端は、前記保持部材の前記開閉ガイド溝を介して左右方向に摺動可能にしたことを特徴とする請求項１、２または３のいずれかに記載の草刈鋏。
【考案の詳細な説明】
【技術分野】
【０００１】
この考案は、立った姿勢で雑草や芝などの草刈を行うことができる草刈鋏に関する。
【背景技術】
【０００２】
手動式の草刈り鋏において屈みこんだ作業を軽減するために比較的長尺な柄の先端部分に連結部品を介して、開閉自在とする一対の刃体の基端部を軸支することによって、柄の開閉動作を刃体の開閉動作に伝える構造が開示されている。
【０００３】
また、比較的長尺な柄の先端に刃体を備える草刈鋏の場合に重量が重くなることから、車輪を設けて前進し易くして草刈りを容易にするものがあった。特許文献１には、第１、２の鋏刃体の上面もしくは下面側に着脱自在な支持杆を第１、２の鋏刃体の後方に延びるように取り付け、支持杆の後端側に接地用の車輪を設けた構造が開示されている。この構造では、第１、２の鋏刃体は開閉運動し、同時に車輪を接地させて前進することにより、草刈り作業を行うことができる。
【先行技術文献】
【特許文献】
【０００４】
【特許文献１】特許第２９３５３６１号公報
【考案の概要】
【考案が解決しようとする課題】
【０００５】
特許文献１に記載の構成のように、従来から草刈鋏に車輪を取り付け、使用者が押し進めて草刈りを容易にする技術は存在した。しかし、地面に沿って生える草だけでなく、草刈鋏を持ち上げて木に生える葉も刈ることがあり、この場合には取り付けた車輪を外すことが好ましい。
【０００６】
しかし、車輪を取り付けた草刈鋏は、柄の先端と刃体とが連結している構成であるため、柄と刃体が開閉して動き、動かない位置に車輪を取り付けるためには刃体を支持する支持軸に取り付けるしかなかった。従来技術における車輪付き草刈鋏は刃体を支持する支持軸に直接取り付けるため、車輪を外そうとすると刃体も外れてしまい、容易に車輪を外すことができなかった。そこで、簡単に取り外すことができる車輪及びその保持部材が求められていた。
【０００７】
また、草刈鋏の車輪は、鋏の開閉によって刃体が前後する。支持軸に直接車輪が取り付けられた場合、この動きが直接車輪に影響を受け、不安定な状況となる。そこで、鋏の開閉によっても安定的に車輪による走行が可能な草刈鋏が求められていた。
【０００８】
そこで、車輪の取り外しが容易であり、鋏の開閉によっても安定した走行を可能にした車輪付き草刈鋏を提供するものである。
【課題を解決するための手段】
【０００９】
上記目的を達成する、請求項１記載の考案は、刃支持軸で開閉自在に軸支する一対の刃体の基端部を、所定の長さを有する一対の柄の先端に連結し、保持部材により保持された車輪を有する立刈り用の草刈鋏であって、前記保持部材は、車輪を回転可能に保持する車輪保持部と、刃支持軸に取り付ける刃体取付部を有するものであって、前記刃体取付部は、前後方向を長手方向とする差込溝が形成され、該差込溝に前記刃支持軸を取り付けたことを特徴とする。
【００１０】
また、保持部材の刃体取付部は、先端が開放された中央の差込溝と、該差込溝の両側で延長された取付本体とからなり、差込溝は、一対の刃体を閉じた状態における刃支持軸の位置から一対の刃体を開いた状態における刃支持軸の位置まで形成したことが好ましい。
【００１１】
また、刃支持軸は、刃体とともに、刃体の裏面側ですべり片を軸支するものであって、前記すべり片は、下面を半球状とした接地部と、該接地部の上面である水平面の幅方向中央付近で突出して前記刃体に接する突出部と、からなり、前記突出部により前記刃体と前記水平面の間に隙間を形成し、前記保持部材の取付本体を、前記隙間に挿入して着脱自在に取り付けたことが好ましい。
【００１２】
また、保持部材は、前方の刃体取付部と後方の車輪保持部との間に左右方向に開閉ガイド溝を有し、刃体の基端部を柄の先端に連結する連結支持軸の下端は、前記保持部材の前記開閉ガイド溝を介して左右方向に摺動可能にしたことが好ましい。
【考案の効果】
【００１３】
請求項１記載の考案によれば、車輪を保持した保持部材が差込溝により刃体に取り付けられることで、刃体の開閉に応じて摺動するのみならず、差込溝から抜き取ることで保持部材を草刈鎌から着脱を容易にすることができる。
【００１４】
請求項２記載の考案は、差込溝の先端が開放されていることから容易に着脱することができる。また、刃体の開閉によって生じる刃体の前後の動きが差込溝を通じて行われ、言わば刃体の前後の動きが差込溝により車輪に直接伝わらないことになるため、安定的な走行をすることが可能になる。
【００１５】
請求項３記載の考案によれば、すべり片により形成された刃体との間の隙間に保持部材を通すことにより、すべり片を軸支する刃支持軸を緩めることで保持部材を外すことができ、容易に車輪を草刈鎌から取り外すことが可能になる。
【００１６】
請求項４記載の考案によれば、柄の開閉に応じたガイド溝を有し、このガイド溝を通じて柄と刃体とを連結する部分でも保持部材を開閉自在に支持することで、２点支持により保持部材の安定的な支持が可能になる。
【図面の簡単な説明】
【００１７】
【図１】図１は、本考案の実施形態を示す草刈鋏の全体斜視図である。
【図２】図２は、図１に示す草刈鋏の分解斜視図である。
【図３】図３は、図１に示す草刈鋏の保持部材とすべり片の拡大斜視図である。
【図４】図４は、保持部材の取付状況を示すものであって、（ａ）は保持部材を挿入していない状態を示す一部拡大側面図、（ｂ）は保持部材を挿入した状態を示す一部拡大側面図である。
【図５】図５は、草刈鋏の開閉状況を示す連結部付近の一部拡大正面図であって、（ａ）は鋏を閉じた状態、（ｂ）は鋏を開いた状態を示す。
【図６】図６は、柄や連結具等を取り除いた状態で草刈鋏の刃体及びすべり片の動作を説明する平面図である。
【図７】図７は、鋏を折り返した状態を示す一部拡大側面図である。
【考案を実施するための形態】
【００１８】
以下、本考案に係る立ち姿勢による草刈鋏の実施形態を添付の図面に基づいて説明する。本実施例に関し、図１に示す草刈鋏の形態を使用状態として説明し、刃先の先端側を前方、刃先から車輪３２の方向を後方、刃体４、５の開く方向を側方、刃体４、５から接地面側を下方、その反対を上方として説明する。
【００１９】
本実施形態の立ち姿勢による草刈鋏の基本的な形態は、図１、２に示すように、交差部分を柄支持軸２によって回動自在に軸支した一対の柄１、１と、刃支持軸６で開閉自在に軸支する一対の刃体４、５で構成し、立ち姿勢で柄１、１の把持部３、３を持って左右に開閉することによって、刃体４、５を開閉して草刈り作業を行うものである。２本の柄１、１は略Ｘ字状で交差し、柄１、１の先端で連結具７、７を介して刃体４、５に連結している。
【００２０】
草刈鋏は、保持部材３１により車輪３２を安定的かつ着脱自在に保持したものである。車輪３２は、刃体４、５の基端部や連結具７、７による柄１、１と刃体４、５との連結位置よりも後方に配置され、車輪３２は保持部材３１ごと刃体４、５から着脱することができる。
【００２１】
図３に示すように、保持部材３１は、車輪３２を回転自在に保持する車輪保持部３３と、刃体側に差し込む刃体取付部３４と、柄の先端側と連結する刃体ガイド部３５、３５とからなる。
【００２２】
車輪保持部３３は、保持部材３１の後端側へ略Ｕ字状に突出し、車輪３２の両側方から車軸の両端を回転自在に保持している。この車輪保持部３３の前端から両側方に延長した刃体ガイド部３５、３５が形成され、刃体ガイド部３５、３５には両側方に延長するガイド溝３５ａ、３５ａが形成される。
【００２３】
刃体取付部３４は、両側方に延長した刃体ガイド部３５、３５の中央付近から前方に向けて形成される。この刃体取付部３４は、刃体ガイド部３５、３５から前方に向けて延長する取付本体３４ｂ、３４ｂが形成され、その取付本体３４ｂ、３４ｂの間に差込溝３４ａが形成される。この２つの取付本体３４ｂ、３４ｂは各々平行に延長され、先端が結合せずに開放している。そのため、２つの取付本体３４ｂ、３４ｂとの間に前後に長尺な差込溝３４ａが形成される。差込溝３４ａは、その左右方向中心線と車輪保持部３３の左右方向中心線が一致し、底面視において一直線上に位置するように形成している。
【００２４】
２つの取付本体３４ｂ、３４ｂ間の長さとなる差込溝３４ａの溝幅は、後述するすべり片２１の突出部２２、２３の左右の寸法及び刃支持軸６の直径とを略同じとする。このようにすることで、２つの取付本体３４ｂ、３４ｂが突出部２２、２３と刃支持軸６を挟み込むようにし、すべり片２１の突出部２２、２３により形成された刃体４、５とすべり片２１との間の隙間Ｓに取付本体３４ｂ、３４ｂを挿入することで、保持部材３１を保持している。
【００２５】
次に、保持部材３１の刃体取付部３４を取り付ける部位について説明する。図２、３に示すように、刃体４、５の下方にすべり片２１を取り付ける。このすべり片２１は、取り付けた状態で下面側となる表面を半球状とした接地部２５を有し、接地部２５の中央を貫通するように刃体４、５の裏面側から刃体支持軸６を挿入する。この刃体支持軸６は、刃体４、５の交差位置を通じて刃体４、５を開閉自在に固定し、刃体４、５の表面側では先端のボルトに調整ネジ１７を螺入し、この調整ネジ１７を回転することで、軸支した刃体支持軸６が緩むようにしている。
【００２６】
この下面側に半球状となる接地部２５により、接地した状態で刃体４、５が地面に直接当たらないようにし、なおかつ、前後方向に移動してもスムーズに草刈り作業を進めることができる。
【００２７】
図３、４に示すように、すべり片２１は接地部２５の上面側が円形の水平面２４となり、前方側と後方側の中央位置に、水平面２４から上方に突出する突出部２２、２３が形成される。具体的には、円形の水平面２４の外縁に沿った扇型の突出部であり、前述のとおり刃体取付部３４の差込溝３４ａの溝幅と略同一の幅を有する。この突出部２２、２３によってすべり片２１の水平面２４と、刃体４、５の裏面との間に隙間Ｓを形成し、この隙間Ｓに刃体取付部３４を挿入して取り付けることができる。
【００２８】
刃体取付部３４は、閉鎖時に下方に位置する刃体５と、すべり片２１の突出部２２、２３との間に形成された隙間Ｓに挿入することで、保持部材３１を安定的に保持することが可能になり、保持部材３１を取り外すときにも、刃体取付部３４を隙間Ｓから抜けば、完全に刃体支持軸６を外さずに取り外すことができる。また、この構造は、後述のとおり、刃体４、５の開閉による前後運動に対応することができ、安定した開閉を実現することができる。
【００２９】
次に、草刈鋏の柄１、１と刃体４、５との連結構造と、刃体ガイド部３５、３５によるガイド及び取付について説明する。図２に示すように、柄１、１と刃体４、５とは連結具７、７により取り付けられる。
【００３０】
連結具７、７は、垂直片７ａ、７ａ及び水平片７ｂ、７ｂからなる略Ｌ字形状であり、水平片７ｂ、７ｂは垂直片７ａ、７ａの下端部から柄１、１の内方、すなわち、一方の柄１から他方の柄１側に向けて突出している。
【００３１】
連結具７、７の垂直片７ａ、７ａは柄１、１の先端部内側面に当接して、回動軸１０により軸支され、水平片７ｂ、７ｂは一対の刃体４、５をそれぞれ連結支持軸１１、１１により軸支している。前述のとおり、刃体４、５は長手方向中央付近において刃支持軸６により回動自在に軸支されている。
【００３２】
この連結具７、７の水平片７ｂ、７ｂと刃体４、５との固定にあたり、連結支持軸１１、１１にバネ１２、１２を挿入し、刃体４、５の開閉にあたり生じる上下の歪みを解消する。つまり、図５に示すように、閉鎖時の刃体４、５では水平片７ｂ、７ｂが略水平状に位置するが、開放時の刃体４、５では柄１、１が左右に開くため、水平片７ｂ、７ｂも傾く。この傾いた状態でも水平片７ｂ、７ｂを下方に押さえつけないとスムーズな開閉が困難となるため、バネ１２、１２による押圧が必要となる。なお、刃体４、５には複数のワッシャ１３、１３を配置して、刃体４、５との高さ方向の違いを解消しておくと好ましい。
【００３３】
連結支持軸１１、１１により連結具７、７を介して柄１、１と刃体４、５とを連結しているところ、連結支持軸１１、１１は刃体４、５の裏面側でナット１４、１４により固定している。この固定状態でナット１４、１４より突き出た連結支持軸１１、１１の先端が保持部材３１の左右の刃体ガイド部３５、３５のガイド溝３５ａ、３５ａを通っている。なお、他の実施形態により、ナット１４、１４による固定がガイド溝３５ａ、３５ａの裏面側で固定されるものであってもよい。
【００３４】
図５に示すように、使用者が柄１、１を開閉することにより、刃体４、５が開閉する。このとき、連結具７、７により支持された連結支持軸１１、１１が開閉に応じて内向きに傾斜するが、上方からバネ１２、１２による押圧により維持している。図６に示すように、連結支持軸１１、１１の下端がガイド溝３５ａ、３５ａを有する保持部材３１によりガイドされていることにより、さらに安定しかつスムーズな開閉が実現される。また、刃体４、５の開閉により、刃支持軸６が保持部材３１の差込溝３４ａに沿って後方向に後退することをガイドし、安定した開閉が実現されている。これらの刃体４、５を安定させるとともに、車輪３２を保持して安定した走行が可能になる。
【００３５】
図６に示すように、刃体４、５の開閉によるすべり片２１の前後運動について説明する。図６において、刃体４、５を閉じている状態を実線で示し、刃体４、５を開いた状態を破線で示している。刃体４、５を閉じている状態では、すべり片２１及び刃体支持軸６は、刃体取付部３４の差込溝３４ａの先端付近に位置し、先端側（刃先側）の突出部２３は差込溝３４ａに挿入されていない状態となる。
【００３６】
一方、柄１、１を開いて刃体４、５を開いた状態では刃体４、５の基端部分が刃体ガイド部３５、３５によりガイドされて側方に開くため、刃体支持軸６及びすべり片２１は差込溝３４ａに沿って後方へ移動する。刃体４、５の開閉により、刃体支持軸６及びすべり片２１は前後方向に移動することとなるが、差込溝３４ａにより摺動可能にしていることからこの移動がスムーズになるだけでなく、この移動による衝撃を差込溝３４ａが吸収することから車輪３２による前後方向への移動もスムーズになる。
【００３７】
また、本実施形態では、車輪３２の半径を大きくし、刃体４、５を水平にして車輪３２を接地するとすべり片２１が接地しない構成としている。さらに、刃体５の刃先を通る車輪３２の接線よりも下方にすべり片２１の下端部が位置する構成としている。これにより、車輪３２で走行する場合と、すべり片２１を接地する場合とを使用者が柄１、１を傾けて選択することができるようにしている。
【００３８】
また、車輪３２はその外周面に円周方向に所定の間隔を置いて複数の歯３２ａを有している。歯３２ａは円周方向に開口する凹みを左右に所定の間隔で並ぶよう設け、柄１、１を左右に動かして刃体４、５の開閉動作を行っても、刃体４、５の水平を安定して保つことができる。
【００３９】
また、草刈鋏は、柄１、１と連結具７、７とを回動軸１０、１０により軸支し、回動軸１０に係合させた調整ネジ１５を緩めることによって回動軸１０、１０を支点として刃体４、５を上下に回動させることができる。好みの回動位置で調整ネジ１５を締付けることによって柄１、１と刃体４、５とが所望の角度を維持することができる。例えば、図１に示す柄１、１を斜め下方に向けて刃体４、５を水平方向に向けた立ち姿勢による使用状態から、調整ネジ１５を緩めて刃体４、５を柄１、１側に回動することで、図７に示す刃体４、５を柄１、１と平行に並ぶよう折り返すことができる。
【００４０】
このように折り返すことで、柄１、１との接触を防止して刃体４、５を安全に収納し、保管や搬送時などにも安全に取り扱うことができる。さらに、この折り返した状態では柄１、１の先端部よりも下方に車輪３２のみが位置して、車輪３２を回転させながら引きずり搬送することができる。
【符号の説明】
【００４１】
１…柄、４、５…刃体、６…刃支持軸、１１…連結支持軸、２１…すべり片、２２…突出部、２３…突出部、２４…水平面、２５…接地部、３１…保持部材、３２…車輪、３３…車輪保持部、３４…刃体取付部、３４ａ…差込溝、３４ｂ…取付本体、３５ａ…ガイド溝、Ｓ…隙間
【図１】
0003218655.tif 000003
【図２】
0003218655.tif 000004
【図３】
0003218655.tif 000005
【図４】
0003218655.tif 000006
【図５】
0003218655.tif 000007
【図６】
0003218655.tif 000008
【図７】
0003218655.tif 000009